(57)【要約】【課題】従来は、電動機に流れる電流を機械的なスイッチで直接入切しているため、切替操作時に火花放電が発生し、接点の溶着等が起こり、接点寿命が短くなるという欠点があった。【解決手段】吸口体が床面と接すると入となり、床面から離れると切となる床面接地検出手段と、前記電動機への電流を入切する半導体スイッチとを有し、前記半導体スイッチは、前記床面接地検出手段の入切に応じて前記電動機への電流の入切を行うようにした。【選択図】図５
2007312870.tif 000002
【特許請求の範囲】
【請求項１】
回転清掃体と、該回転清掃体を回転駆動する電動機とを有する電気掃除機の吸口体において、
前記吸口体が床面と接すると入となり、床面から離れると切となる床面接地検出手段と、前記電動機への電流を入切する半導体スイッチとを有し、
前記半導体スイッチは、前記床面接地検出手段の入切に応じて前記電動機への電流の入切を行う電気掃除機の吸口体。
【請求項２】
請求項１において、
床面接地の有無の検出時間が所定時間以上ならば有効とする検出有効時間設定手段を設け、該検出有効時間設定手段に基づいて電動機への電流の入切を行う電気掃除機の吸口体。
【発明の詳細な説明】
【技術分野】
【０００１】
本発明は、電動機により駆動される回転清掃体を有する電気掃除機の吸口体に関する。
【背景技術】
【０００２】
近年の電気掃除機においては、吸口体内に回転清掃体を駆動する電動機を配置した吸口体が主流となってきた。この吸口体は、電動機で回転清掃体を駆動しているので、強い回転トルクが得られゴミ取れ性能の向上（集塵性能向上）が図れる。
【０００３】
このような吸口体では、安全性を確保することから吸口体を床面に接地させたときのみ回転清掃体を回転させ、床面から離した場合には回転清掃体が停止するように、電動機への電力供給を入り切りさせるスイッチが設けられている。このような吸口体は例えば特許文献１に開示されている。この特許文献１では、吸口体の下面から出し入れするように回動自在なローラ１４と、このローラ１４を回動させる回動軸２１に設けられたアーム２３と、アーム２３に押圧される接点アーム３１とが設けられている。吸口体が床面に接地すると、ローラ１４が吸口体内側に移動して回転軸２１に設けたアーム２３で接点アーム
２３をスイッチ２７に押圧し、スイッチ２７が動通状態となる。そして、回転清掃体を駆動する電動機１６に電力が供給される。また、吸口体が床面から離れると、ローラ１４が吸口体から突出してアーム２３が接点アーム２３の押圧を開放し、接点アーム２３の弾性力でスイッチ２７から離れ、スイッチ２７が非動通状態となる。そして、回転清掃体を駆動する電動機１６への電力供給が阻止される。電気掃除機は商用電源の接続されており、回転清掃体を駆動する電動機１６にもホース及び延長管を介して商用電源が供給される。
【０００４】
【特許文献１】特開２００２−１２５８９４
【発明の開示】
【発明が解決しようとする課題】
【０００５】
しかしながら、上記特許文献１においては、電動機１４に流れる電流を機械的なスイッチ２７で直接入切しているため、切替操作時に火花放電が発生し、接点の溶着等が起こり、接点寿命が短くなるという欠点があった。使用者によって掃除１回当たりの吸口体の上下回数、すなわちスイッチの入切回数が異なるため、使用状況によりスイッチの接点寿命に至り吸口体が故障する可能性がある。
【０００６】
これを解決するためには大型のスイッチを用いる必要があり、吸口体が大きく重くなり、使い勝手が悪くなる。
【０００７】
そこで本発明の目的は上記課題を解決し、吸口体を大型化することなく使い勝手を維持し、且つスイッチの接点寿命が長い電気掃除機の吸口体を提供することを目的とする。
【課題を解決するための手段】
【０００８】
上記目的を達成するために本発明の特徴とするところは、回転清掃体と、該回転清掃体を回転駆動する電動機とを有する電気掃除機の吸口体において、前記吸口体が床面と接すると入となり、床面から離れると切となる床面接地検出手段と、前記電動機への電流を入切する半導体スイッチとを有し、前記半導体スイッチは、前記床面接地検出手段の入切に応じて前記電動機への電流の入切を行うことにある。
【０００９】
また、本発明の特徴とするところは、上記に加え、床面接地の有無の検出時間が所定時間以上ならば有効とする検出有効時間設定手段を設け、該検出有効時間設定手段に基づいて電動機への電流の入切を行うことにある。
【発明の効果】
【００１０】
本発明によれば、電気掃除機の吸口体に組込まれた床面接地検出用のスイッチを大型化することなく接点寿命を長くすることができ、また、回転清掃体を駆動する電動機の寿命も長くすることができるので、電気掃除機の吸口体の大きさや重さを増やすことなく寿命を長くした電気掃除機の吸口体を提供することができる。
【発明を実施するための最良の形態】
【００１１】
本発明の一実施例を、図を参照して説明する。図１及び図２は本発明の一実施例に係る電気掃除機の吸口体の概略構成図であり、図１は上面、図２は下面から見た図である。
【００１２】
図２において吸口体１の床面に面する吸気口には、回転清掃体２が備えられ、回転清掃体２は図１の電動機３及び電動機３からの駆動力を伝えるプーリ４，ベルト５によって駆動される。吸口体１の下部には回転清掃体２を駆動する電動機３を駆動もしくは停止させる床面接地検出手段７が備えられている。この床面接地検出手段７は吸口体１の下面方向（被掃除面方向）に向かって突出するように付勢されて設けられており、吸口体１が床面に接すると床面接地検出手段７が吸口体１内に押し込まれてスイッチが入となり、回転清掃体２を駆動する電動機３が回転する。また、吸口体１を床面から離すと、吸口体１の下面から下面方向に突出してスイッチが切となり、回転清掃体２を駆動する電動機３が停止する。
【００１３】
図３は本発明の一実施例に係る電気掃除機の外観斜視図である。電気掃除機は、掃除機本体８に操作部１０を備えたホース９が接続され、ホース９の他端には延長管１１が接続され、延長管１１には吸口体１が接続され、構成されている。使用者が操作部１０を操作すると、掃除機本体８に内蔵した電動送風機（図示せず）が駆動され、電気掃除機の吸口体１から塵埃などを含んだ空気を吸引する。吸引された空気は延長管１１及びホース９を介して掃除機本体８に備えられた集塵室（図示せず）へ送られる。集塵室に備えられた補塵手段（図示せず）によって空気中の塵埃などは除去され、その後空気は電動送風機（図示せず）を通りぬけ排気となって掃除機本体８後部から排出される。
【００１４】
また、吸口体１へは掃除機本体８より図１の回転清掃体２を駆動する電動機３への電力が供給され、吸口体１が床面に接地しているときに、回転清掃体２は駆動され、吸口体１が持ち上げられるなどして床面から離れているとき、回転清掃体２は停止される。
【００１５】
図４は、本発明の一実施例に係る吸口体の制御回路６のブロック図である。制御回路６は電動機駆動用電源１２と、電動機駆動手段１３と、電動機保護手段１４と、床面接地検出手段７から構成されている。電動機駆動用電源１２は図３の掃除機本体８より運転モードに応じて供給され、さらに吸口体１の床面接地の有無に応じて電動機３が駆動される構成となっている。本実施例では、電動機駆動用電源１２は商用電源１２ａ、電動機駆動手段１３は半導体スイッチである双方向性サイリスタ１３ａ、電動機保護手段１４はＰＴＣサーミスタ１４ａ、床面接地検出手段７はマイクロスイッチ７ａを用いている。本実施例の構成図を図５に示す。
【００１６】
図５において、双方向性サイリスタ１３ａを駆動するゲート回路は、マイクロスイッチ７ａを介してゲート電流制限抵抗１５を設けている。吸口体１が床面に非接地のとき、マイクロスイッチ７ａは切状態であり、双方向性サイリスタ１３ａはゲート電流が流れないためオンせず、電動機３は駆動されない。そして、吸口体１が床面に接地しているとき、マイクロスイッチ７ａは入状態となり、双方向性サイリスタ１３ａのゲートにはマイクロスイッチ７ａ、ゲート電流制限抵抗１５を介して電流が流れ双方向性サイリスタ１３ａはオンし、電動機３は駆動される。このとき、電動機３に流れる電流のほとんどは双方向性サイリスタ１３ａを流れ、マイクロスイッチ７ａに流れる電流は僅かであるため、マイクロスイッチ７ａの接点アークによる接点劣化を回避し、マイクロスイッチ７ａの接点寿命を伸ばすことができる。
【００１７】
本実施例により、小型のマイクロスイッチのまま接点寿命を長くすることができ、電気掃除機の吸口体を大型化することなく、使い勝手の良い電気掃除機の吸口体を提供することができる。
【００１８】
次に本発明の他の実施例を、図６を用いて説明する。
【００１９】
図６は吸口体における制御回路６のブロック図である。本実施例では床面接地検出手段７と電動機駆動手段１３との間に、床面接地の有無の検出時間が所定時間以上ならば有効とする検出有効時間設定手段１６を設けている。
【００２０】
この検出有効時間設定手段１６としては、例えば時定数回路を設けることにより、床面接地検出手段７が短い時間間隔で床面接地の有無を複数回検知した場合でも、電動機３が電動機駆動手段１３から短時間のオンオフ駆動されることを回避するようにしている。これにより、電動機３をオンまたはオフしつづけることができ、電動機３の寿命を長くすることができる。
【００２１】
以上説明したように本実施例では、電動機駆動手段に双方向性サイリスタ、床面接地検出手段にマイクロスイッチを用いた吸口体について説明したが、電気掃除機の吸口体に供給される電源が商用電源ではなく直流電源だった場合も、電動機駆動手段にトランジスタやＭＯＳＦＥＴなど適した半導体素子を用いることで実施可能である。
【図面の簡単な説明】
【００２２】
【図１】本発明の一実施例に係る電気掃除機の吸口体の全体構成図（上面）である。
【図２】本発明の一実施例に係る電気掃除機の吸口体の全体構成図（下面）である。
【図３】本発明の一実施例に係る電気掃除機の全体斜視図である。
【図４】本発明の一実施例に係る吸口体の制御回路のブロック図である。
【図５】本発明の一実施例に係る吸口体の制御回路の構成図である。
【図６】本発明の一実施例に係る吸口体の制御回路のブロック図である。
【符号の説明】
【００２３】
１…吸口体、２…回転清掃体、３…電動機、７…床面接地検出手段、７ａ…マイクロスイッチ、１３…電動機駆動手段、１３ａ…双方向性サイリスタ。
【図１】
2007312870.tif 000003
【図２】
2007312870.tif 000004
【図３】
2007312870.tif 000005
【図４】
2007312870.tif 000006
【図５】
2007312870.tif 000007
【図６】
2007312870.tif 000008